(57)【要約】      （修正有）【課題】くじやクイズ問題付きダイレクトメールの封筒を返信用のはがきや封筒として再利用できるようにして地球資源の節約と、ダイレクトメールの効果を高めることが可能なダイレクトメールによる広告宣伝方法を提供する。【解決手段】封筒本体２の前方部分２ａの表側（封筒の正面）や封筒本体２の後方部分２ｂの表側（封筒の背面）に宝くじの抽選番号やクイズの問題を掲載して封筒受領者に興味を持たせる。封筒本体２の前方部分２ａ又は後方部分２ｂに返信用の受取人情報掲載部３０を設け、該返信用受取人情報掲載部３０に受取人の住所氏名をプリントし、この受取人情報掲載部３０を返信用封筒の正面側や返信用はがきの正面側として使用できるようにする。【選択図】図２
2009098383.tif 000002
【特許請求の範囲】
【請求項１】
封筒本体の前方部分の表側や封筒本体の後方部分の表側に外部から見えるように宝くじの抽選番号やクイズの問題を掲載し、宝くじの抽選番号やクイズの問題で封筒受領者に興味を持たせて広告宣伝効果を上げるようにした封筒を用いたダイレクトメールによる広告宣伝方法であって、前記封筒本体の前方部分又は後方部分の内側面に返信用の受取人情報掲載部を設け、該返信用受取人情報掲載部に受取人の住所氏名をプリントし、前記受取人情報掲載部を封筒受領者が宝くじやクイズの返信用郵便差し出し物として使用できるようにしたことを特徴とする封筒を用いたダイレクトメールによる広告宣伝方法。
【請求項２】
前記封筒本体に該封筒本体を展開開封するためのキリトリ線を設けたことを特徴とする請求項１に記載の封筒を用いたダイレクトメールによる広告宣伝方法。
【請求項３】
前記返信用の受取人情報掲載部を返信用封筒の宛名面とし、前記封筒本体の前方部分及び／又は後方部分を返信用封筒として使用できるようにしたことを特徴とする請求項１に記載の封筒を用いたダイレクトメールによる広告宣伝方法。
【請求項４】
前記封筒本体を開封し、前記封筒本体の前方部分と後方部分を反転させて前記返信用の受取人情報掲載部を正面とする返信用封筒を作成できるようにしたことを特徴とする請求項１に記載の封筒を用いたダイレクトメールによる広告宣伝方法。
【請求項５】
前記封筒本体の前方部分又は後方部分の内側面に前記返信用の受取人情報掲載部を含む返信用封筒の展開図をプリントし、該展開図の周囲にキリトリ線を設け、前記封筒本体を開封し、前記キリトリ線に沿って切断することによって前記封筒本体の前方部分又は後方部分から返信用封筒を作成できるようにしたことを特徴とする請求項１に記載の封筒を用いたダイレクトメールによる広告宣伝方法。
【請求項６】
前記返信用の受取人情報掲載部を返信用はがきの宛名面とし、前記封筒本体の前方部分又は後方部分を返信用はがきとして使用できるようにしたことを特徴とする請求項１に記載の封筒を用いたダイレクトメールによる広告宣伝方法。
【発明の詳細な説明】
【技術分野】
【０００１】
本発明は、封筒の正面側や背面側に宝くじの抽選番号や賞品や賞金付きのクイズの問題を印刷した封筒を用いたダイレクトメールによる広告宣伝方法に関する。
【背景技術】
【０００２】
封筒を用いたダイレクトメールにおいて、封筒にクイズの問題を印刷し、ダイレクトメール受領者の興味を引き、ダイレクトメールの広告宣伝効果を高めることは従来知られている（例えば特許文献１参照）。また、くじ付きのダイレクトメールが従来知られている（例えば特許文献２参照）。
【特許文献１】特開平７−１７９０８３号公報
【特許文献２】第３０６２２４７号実用新案登録公報
【発明の開示】
【発明が解決しようとする課題】
【０００３】
ダイレクトメールによる企業等の商品や役務の宣伝広告は広く普及しているが、受領者に中身を見てもらえず捨てられてしまう確率が高い。ダイレクトメールの封筒に賞品、賞金付きのくじやクイズ問題を付けることで、受領者の興味を引くことができ、開封が期待でき、広告宣伝効果も上げることができる。この種のくじやクイズ付きのダイレクトメールは、受領者がくじやクイズに応募するための返信用はがきや封筒を添付したり、同封するのが一般的である。ダイレクトメール発送者側は、戻ってきた返信はがきや封筒の数によって、ダイレクトメールの効果を確認できる。
【０００４】
しかるに、ダイレクトメールの広告宣伝物とは別途に返信用はがきや封筒を用意することはその分、紙を消費することになり資源の浪費を生じる。またダイレクトメールのコスト高の原因となる。また、ダイレクトメールとして使用された封筒は、開封後、捨てられてゴミとなってしまうで地球資源の無駄使いとなってしまう。
本発明は、ダイレクトメールに用いた封筒を返信用郵便物として再利用できるようにし、以て、地球資源の節約と、ダイレクトメールの効果を高めることを目的とする。
【課題を解決するための手段】
【０００５】
上記目的を達成するため本発明は、封筒本体の前方部分の表側や封筒本体の後方部分の表側に外部から見えるように宝くじの抽選番号やクイズの問題を掲載し、宝くじの抽選番号やクイズの問題で封筒受領者に興味を持たせて広告宣伝効果を上げるようにした封筒を用いたダイレクトメールによる広告宣伝方法であって、前記封筒本体の前方部分又は後方部分の内側面に返信用の受取人情報掲載部を設け、該返信用受取人情報掲載部に受取人の住所氏名をプリントし、前記受取人情報掲載部を封筒受領者が宝くじやクイズの返信用郵便差し出し物として使用できるようにしたものである。
また本発明は、前記封筒本体に該封筒本体を展開開封するためのキリトリ線を設けたものである。
また本発明は、前記返信用の受取人情報掲載部を返信用封筒の宛名面とし、前記封筒本体の前方部分及び／又は後方部分を返信用封筒として使用できるようにしたものである。
また本発明は、前記封筒本体を開封し、前記封筒本体の前方部分と後方部分を反転させて前記返信用の受取人情報掲載部を正面とする返信用封筒を作成できるようにしたものである。
また本発明は、前記封筒本体の前方部分又は後方部分の内側面に前記返信用の受取人情報掲載部を含む返信用封筒の展開図をプリントし、該展開図の周囲にキリトリ線を設け、前記封筒本体を開封し、前記キリトリ線に沿って切断することによって前記封筒本体の前方部分又は後方部分から返信用封筒を作成できるようにしたものである。
また本発明は、前記返信用の受取人情報掲載部を返信用はがきの宛名面とし、前記封筒本体の前方部分又は後方部分を返信用はがきとして使用できるようにしたものである。
【発明の効果】
【０００６】
本発明は、くじやクイズ問題付きのダイレクトメールの封筒本体を返信用郵便物として再利用できるので、別途にダイレクトメールの封筒に返信用のはがきや封筒を添付する必要がなく、返信用はがき、封筒付きダイレクトメールのコスト低減を実現できるとともに、地球資源の節約や地球環境の改善の問題にも貢献できる。
【発明を実施するための最良の形態】
【０００７】
以下に本発明の実施の形態を添付した図面を参照して詳細に説明する。
図１乃至図５は、本発明の第１の実施形態を示し、図１はダイレクトメール用の封筒を展開した状態の正面図、図２は同背面図である。図３は封をした状態のダイレクトメール用封筒の背面図、図４はダイレクトメール用封筒から作成した返信用封筒の正面図、図５は同背面図である。
【０００８】
図１及び図２に示すダイレクトメール用封筒の本体２は、長方形状の前方部分２ａと、これに重ねられて筒体を構成するための後方部分２ｂとから構成され、前方部分２ａと後方部分２ｂの上部にはそれぞれシール用の舌片４，６が形成されている。前記前方部分２ａの表面には、上部に宛名掲載部８と、差出人情報掲載部１０がプリントされている。宛名掲載部８は、通常のダイレクトメールの封筒の正面側と同一であり、郵便番号表示欄、料金後納郵便などの表示を明記したプリント部、宛名を記載したスペースとから構成されている。
【０００９】
差出人情報掲載部１０には、クイズ、宝くじを提供する企業の名称、住所その他、その企業のＰＲが掲載されている。封筒本体の前方部分２ａの裏面は、図２に示すように、第１の封筒内側面１２を構成し、該第１の封筒内側面１２には、企業の役務や取り扱い商品の宣伝広告が印刷されたＰＲ掲載欄１４が設けられている。封筒本体の前方部分２ａの表面（即ち封筒の正面）と舌片４との境界の折り返し部１６を基準として、舌片４の表面に、該折り返し部１６に対して所定の間隔を存し、該折り返し部１６の上方に位置して、キリトリ線１８が印刷されている。
【００１０】
封筒本体の前方部分２ａの裏面の上部には、図２に示すように、前記折り返し部１６に対して所定の間隔を存し、該折り返し部１６の下方に位置して、キリトリ線２０が印刷されている。前記キリトリ線２０と舌片６の下縁の折り返し部２２は、前方部分２ａと後方部分２ｂの展開平面上では、同一延長線上に形成されている。封筒本体の後方部分２ｂの表面即ち封筒の背面には、景品や賞金等の付いたクロスワードパズル問題や絵柄、漢字クイズなどのクイズや宝くじの情報が掲載されたクイズ宝くじ情報掲載欄２４がプリントされている。
【００１１】
この宝くじは数字や文字、絵柄などで構成され、開封時に即座に大当たりが判明する方式や後日抽選方式等が採用される。前記封筒本体の後方部分２ｂの表面の側部と下部には、封筒を開封展開するときのハサミの切り込みの案内目印となるキリトリ線２６，２６がプリントされている。このキリトリ線２６には、受領者に向けて、このキリトリ線に沿ってハサミで切り、封筒を展開して下さいという意味の表示が印字されている。前記舌片６は、その下縁の折り返し部２２を基準として、封筒の内側に織り込まれている。
【００１２】
封筒本体の後方部分２ｂの裏面は、第２の封筒内側面２８を構成し、該第２の封筒内側面２８には、受取人情報掲載部３０と企業ＰＲ掲載欄３２と返信者情報欄３４がプリントされている。返信者情報欄３４には、返信者の氏名住所記載欄が設けられている。前記受取人情報掲載部３０は、通常の封筒の正面側と同一であり、郵便番号表示欄、料金後納郵便などの表示、宛名掲載部から成り、この宛名掲載部に、宝くじ、クイズ提供企業又はその代理人の住所、氏名が掲載されている。
【００１３】
封筒本体２は、前方部分２ａと後方部分２ｂがその境界３６で互いに重なるように所定方向に折られ、互いにノリシロ（図示省略）を介して筒状に接合されて、使用前の封筒を構成する。ダイレクトメールの発送者は封筒の中に所要の広告宣伝物を入れる。このとき、舌片４が折り返し部１６を基準として内側に折り返され、図３に示すように、封筒の背面の上部にのり付けされ、封筒に封が施される。
【００１４】
上記した封筒が不特定多数の消費者にダイレクトメールとして発送される。受領者は、封筒の背面のクイズや宝くじに関するクイズ宝くじ情報掲載欄２４の記載を見て、興味を持った場合には、封筒の背面のキリトリ線２６，２６，１８に沿って、封筒をハサミで切断し、開封するとともに展開する。封筒を切り開くと、封筒の内側面の企業ＰＲ掲載欄１４には、企業の広告宣伝や宝くじの景品が印刷されており、受領者は、この情報に注意を向けることになる。
【００１５】
クイズや宝くじの応募は、第２の封筒内側面２８に印刷されている返信者情報欄３４に、応募者の住所氏名その他必要な情報を記入した後、封筒本体の前方部分２ａと後方部２ｂとを反転し、第２の封筒内側面２８を正面側として、返信用封筒を作成することにより行う。返信用封筒の作成はキリトリ線２０に沿って封筒本体の前方部分２ａの上部を切り離し、舌片６を反対側に折り返し、第２の封筒内側面２８を正面側として、重ね合わせた前方部分２ａと後方部分２ｂの下縁と側縁を糊や接合具を用いて貼り合わせる。応募者は、返信用封筒に必要な手紙を入れて、舌片６を図５のように、前方部分２ａの裏面の上部にのり付けして封をし、投函する。
【００１６】
図６は、本発明の第２の実施形態を示している。封筒本体の前方部分２ａの表面には、宛名掲載部８と差出人情報掲載部１０がプリントされている。封筒本体の後方部分２ｂの表面即ち封筒の背面には、第１の実施形態と同様にクイズや宝くじの情報が掲載されたクイズ宝くじ情報掲載欄２４がプリントされている。封筒本体の後方部分２ｂの裏面である第２の封筒内側面２８は、図７に示すように、企業案内スペースを形成し、このスペースにダイレクトメールのスポンサーである企業の広告がプリントされている。
【００１７】
また、第２の封筒内側面２８の下部には、宝くじに関する情報が記載された宝くじ情報欄３８が設けられている。封筒本体の前方部分２ａの裏面である第１の封筒内側面１２の上部には、図７に示すように、企業案内スペース４１が設けられ、これに企業の広告がプリントされている。第１の封筒内側面１２には、広いスペースをとって、返信封筒展開図掲載欄４０がプリントされている。返信封筒展開図掲載欄４０は、その周囲にプリントされたキリトリ線に沿って封筒本体の前方部分２ａを切断すると、展開状態の返信封筒が作成されるように構成されている。
【００１８】
返信封筒の正面部分には宝くじやクイズの提供企業又はその代理人である受取人の情報が記載された受取人情報掲載部３０と返信者情報欄３４がプリントされている。また、返信封筒には、シール用舌片４２、ノリシロ４４，４６、折り返し境界線４８がプリントされている。封筒本体の前方部分２ａの上部に形成されたシール用舌片４と封筒本体の後方部分２ｂの側部と下部には、図６に示すように、第１の実施形態と同様に、キリトリ線１８，２６，２６がプリントされ、図８に示すように、封がされた封筒をこれらキリトリ線１８，２６，２６に沿ってハサミで切断することで、封筒を開封し、展開できるように構成されている。
【００１９】
上記した構成において、封筒本体２は、封筒本体の前方部分２ａと後方部分２ｂとがその境界３６で互いに重なるように、２つに折られ、ノリシロを介して、筒状に接合されて、使用前のダイレクトメール用封筒を構成する。ダイレクトメール発送者は、この封筒の中に広告宣伝物を挿入する。広告宣伝物挿入後、舌片４が折り返され、封筒の背面の上部にのり付けされ、封が施される。上記封筒を用いて発送されたダイレクトメールの受領者は、封筒の背面に掲載されたクイズや宝くじに応募する場合、返信封筒を次の要領で作成する。
【００２０】
まず、図８に示す封筒の背面のキリトリ線２６，２６，１８に沿って、封筒をハサミで切断し、封筒本体の前方部分２ａと後方部分２ｂを展開する。次に、受領者は、封筒本体の前方部分２ａの裏面にプリントされているキリトリ線に沿って、封筒を切断し、切断した展開状態の返信封筒を折り返し境界線４８を基準として２つに折り、且つ、ノリシロ４４，４６を対応する部分にのり付けして、返信封筒を筒状とする。この返信封筒に所要の手紙を入れ、シール用舌片４２で封をして投函する。
【００２１】
図６は、第３の実施形態を示し、封筒本体の後方部分２ｂの裏面即ち第２の封筒内側面２８に返信用のはがき５０をプリントしていることを特徴としている。他の構成は上述した第２の実施形態の構成と同一であり、同一部分を同一の符号で示しその説明を省略する。返信用のはがき５０は、受取人情報掲載部３０と、企業広告掲載部５２と、返信者情報欄３４がプリントされている。
【００２２】
ダイレクトメール受領者が、受け取った封筒に掲載されているクイズや宝くじに応募する場合は、封筒をキリトリ線２６，１８に沿って切断して開封し、展開して、返信用のはがき５０の返信者情報欄３４に所要の情報を記入する。しかる後に、キリトリ線５４を基準とし封筒本体の後方部分２ｂからはがき５０を切り離し、投函する。なお、図１０においてキリトリ線５４の下部は、キリトリ線２６と表裏で一致するため設けなくとも良い。また、上記実施形態でクイズ宝くじ情報掲載欄２４は封筒本体の前方部分２ａの表面に設けても良い。
【図面の簡単な説明】
【００２３】
【図１】本発明に係る封筒の展開した状態の正面図である。
【図２】同上背面図である。
【図３】封筒の背面図である。
【図４】返信用封筒の正面図である。
【図５】同上背面図である。
【図６】本発明の他の実施形態を示す封筒の展開した状態の正面図である。
【図７】同上背面図である。
【図８】本発明の他の実施形態を示す封筒の背面図である。
【図９】本発明の他の実施形態を示す封筒の展開した状態の正面図である。
【図１０】同上背面図である。
【符号の説明】
【００２４】
２      本体
２ａ    封筒本体の前方部分
２ｂ    封筒本体の後方部分
４      舌片
６      舌片
８      宛名掲載部
１０    差出人情報掲載部
１２    第１の封筒内側面ケーシング
１４    企業ＰＲ掲載欄
１６    折り返し部
１８    キリトリ線
２０    キリトリ線
２２    折り返し部
２４    クイズ宝くじ情報掲載欄
２６    キリトリ線
２８    第２の封筒内側面
３０    受取人情報掲載部
３２    企業ＰＲ掲載欄
３４    返信者情報欄
３６    境界
３８    宝くじ情報欄
４０    返信封筒展開図掲載欄
４２    シール用舌片
４４    ノリシロ
４６    ノリシロ
４８    折り返し境界線
５０    はがき
５２    企業ＰＲ掲載欄
５４    キリトリ線
【図１】
2009098383.tif 000003
【図２】
2009098383.tif 000004
【図３】
2009098383.tif 000005
【図４】
2009098383.tif 000006
【図５】
2009098383.tif 000007
【図６】
2009098383.tif 000008
【図７】
2009098383.tif 000009
【図８】
2009098383.tif 000010
【図９】
2009098383.tif 000011
【図１０】
2009098383.tif 000012